(57)【要約】【課題】記録媒体の加熱を伴う記録と、記録媒体の加熱を伴わない記録とを効率よく行って、記録装置の待機時間および消費エネルギーの無駄を低減することができるインクジェット記録装置を提供すること。【解決手段】現在記録中の画像情報の次に記録すべき画像情報として、記録媒体の加熱を伴うか否かにおいて現在記録中の画像情報と同種の画像情報を優先的に選定する。【選択図】　　　　図４
2004142306.tif 000002
【特許請求の範囲】
【請求項１】
記録媒体を加熱するための加熱手段を備え、入力した画像情報に基づき、インクを吐出可能な記録ヘッドを用いて前記記録媒体に画像を記録するインクジェット記録装置において、
前記画像情報は、前記加熱手段の加熱を伴って記録される第１種の画像情報と、前記加熱手段の加熱を伴わずに記録される第２種の画像情報とを含み、
現在記録中の画像情報の入力後に前記第１種の画像情報と前記第２種の画像情報を入力したときに、現在記録中の画像情報の次に記録すべき画像情報として、現在記録中の画像情報と同種の画像情報を優先的に選定する選定手段を備えた
ことを特徴とするインクジェット記録装置。
【発明の詳細な説明】
【０００１】
【発明の属する技術分野】
本発明は、記録媒体を加熱するための加熱手段を備えたインクジェット記録装置に関するものである。
【０００２】
【従来の技術】
インクジェット記録装置は、プリンタ、複写機、ファクシミリ、捺染、プロッターなどに応用され、高速度で記録し、普通紙にも記録可能で、カラー化も容易であるなどの特徴をもっているため、近年パーソナルコンピュータの高速処理化に伴いその普及が目覚しい。
【０００３】
普通紙に対する記録は、インクの吸収性を高めた専用紙に比べてインクの吸収速度が遅く、普通紙の記録面の不均一による画像ムラを起こしやすい。また、普通紙は世界各地の製紙メーカーから供給されるため、材料・製法の変動によりインクの吸収性も大きく変動する。特に、カラー画像の記録を行う場合には、モノクロ画像の記録と比べてインク量が多くて定着に時間を要するため、記録紙を加熱してインクの定着を促進することが普通紙での高速記録に有効な手段となる。また加熱は、インクの表層付近での乾燥定着を可能とするため、発色性向上等の効果もあって高品位の画像を記録するためにも非常に有効である。
【０００４】
記録媒体および記録液を加熱して定着させる、いわゆる「加熱定着」技術としては、記録媒体を熱板に接触させる熱板加熱方式、記録液に温風を吹き付ける温風加熱方式、赤外線ランプ・赤外線ヒータなどの輻射熱によって記録媒体を加熱する輻射熱加熱方式等が開発されている。また、「加熱定着」技術の実現にあたっては、記録条件（記録密度、記録時間）や記録環境（記録媒体の種類、記録媒体の状態、周辺環境）等に応じた様々な加熱量制御方法が提案されている。
【０００５】
ところが、このような加熱手段の温度を適温まで上昇させるには、かなりの時間を要するという問題があった。
【０００６】
これに対しては、例えば特許文献１には、暖気、予熱を行った上、さらに記録の際に、まず初期において記録媒体に悪影響を及ぼさない程度の高いレベルで加熱し始め、記録動作が進行するにしたがって加熱レベルを徐々に低下させ、そして最終的に一定レベルで加熱するような方法が開示されている。
【０００７】
【特許文献１】
特開平０６−２１０８４５号公報
【０００８】
【発明が解決しようとする課題】
一方、記録媒体等の条件によっては、加熱をしないことが望ましい場合もある。
【０００９】
しかし、従来の技術において、加熱を伴う記録動作の後、加熱を伴わない記録動作を行い、さらにその後に加熱を伴う記録動作を行う場合には、何度も加熱手段の温度を上昇および降下させることになり、それに伴って記録装置の待機時間および消費エネルギーの無駄が発生する。
【００１０】
本発明の目的は、記録媒体の加熱を伴う記録と、記録媒体の加熱を伴わない記録とを効率よく行って、記録装置の待機時間および消費エネルギーの無駄を低減することができるインクジェット記録装置を提供することにある。
【００１１】
【課題を解決するための手段】
本発明のインクジェット記録装置は、記録媒体を加熱するための加熱手段を備え、入力した画像情報に基づき、インクを吐出可能な記録ヘッドを用いて前記記録媒体に画像を記録するインクジェット記録装置において、前記画像情報は、前記加熱手段の加熱を伴って記録される第１種の画像情報と、前記加熱手段の加熱を伴わずに記録される第２種の画像情報とを含み、現在記録中の画像情報の入力後に前記第１種の画像情報と前記第２種の画像情報を入力したときに、現在記録中の画像情報の次に記録すべき画像情報として、現在記録中の画像情報と同種の画像情報を優先的に選定する選定手段を備えたことを特徴とする。
【００１２】
したがって、現在の記録中に加熱手段が高温状態にあるときは、それが高温状態のまま記録することができる画像情報を次に記録すべき画像情報として優先的に選定し、現在の記録中に加熱手段が低温状態にあるときは、それが低温状態のまま記録することができる画像情報を次に記録すべき画像情報として優先的に選定する。これにより、加熱手段の温度状態を切り替える回数が低減され、結果的に、記録装置の待機時間および消費エネルギーの無駄を低減して、それらを効率的に利用することができる。
【００１３】
また、記録待ち画像情報リストを用いて、入力した画像情報を管理することにより、次に記録すべき画像情報を簡単に選定することができる。
【００１４】
また、入力した前記画像情報を第１種または第２種の種別情報と共に表示することにより、その表示された情報に基づいて、記録時における記録媒体の加熱または非加熱をユーザーが選択することもできる。
【００１５】
また、現在記録中の画像情報の次に記録すべき画像情報を選定するためのモードとして、現在記録中の画像情報と同種の画像情報を優先的に選定するモードと、画像情報を入力順に選定するモードとの切換えを可能とすることにより、ユーザーの希望などに応じて、記録装置の待機時間および消費エネルギーの無駄を低減する記録と、画像情報の入力順の記録とを選択することができる。
【００１６】
【発明の実施の形態】
以下、添付図面を参照して本発明の実施形態について説明する。
まず、図１および図２に基づいて、本発明を適用可能なインクジェット記録装置の基本構成について説明する。
【００１７】
（基本構成）
図１のインクジェット記録装置において、キャリッジ１２は無端ベルト１３に連結され、且つガイドシャフト１８に沿って移動可能に備えられている。無端ベルト１３は、プーリ１４，２０の間に架け渡されている。プーリ２０には、キャリッジ駆動モータ１９の駆動軸が連結されている。したがって、キャリッジ１２は、モータ１９の回転駆動力によってガイドシャフト１８に沿って主走査方向（Ａ方向）に往復移動される。キャリッジ１２上には、複数のインク吐出ノズルが並設された記録ヘッド１０、及びインクを収納する容器としてのインクタンクＩＴが搭載可能である。記録位置下方のプラテン位置には、加熱手段１１が配置されている。
【００１８】
加熱手段１１は、加熱源と、その加熱源からの放射エネルギーを記録領域へ導くリフレクタから構成されており、加熱源の熱エネルギーを最大限活用できるようになっている。加熱源としては、応答が急峻な（立上がり、立ち下がり特性の良い）ハロゲンランプ等、赤外線を利用した光源が好ましいが、これに限られるものでなく、その他の電磁波光源、セラミックヒータ等を用いても良い。リフレクタは、その内表面を高度な反射率を持つ金で構成するのが好ましいが、用途やコストに応じてアルミニウム、その他金属で構成してもよい。加熱手段１１は、本例の構成に限られるものではなく、熱風また熱板等を利用しても良い。さらに、加熱手段１１の配置位置および加熱位置は本例の位置のみに限らず、記録前に加熱（記録前加熱）できるように配置したり、または記録後に加熱するように配置してもよいし、これらを組み合わせるように配置しても良い。
【００１９】
記録ヘッド１０には、記録媒体としての用紙Ｐと対向する面に、用紙Ｐの搬送方向（矢印Ｂの副走査方向）に沿って並設された複数のインク吐出口が形成されている。記録ヘッド１０には、この複数の吐出口のそれぞれに連通するインク路が設けられ、それぞれのインク路に対応して、インク吐出のための熱エネルギーを発生する電気熱変換体が設けられている。電気熱変換体は、駆動データに応じが電気パルスが印可されることによって熱を発生し、これによりインク路中のインクに膜沸騰を生じさせ、その気泡の生成に伴って対応する吐出口からインクを吐出させる。各インク路には、それらに共通に連通する共通液室が設けられており、この共通液室は、インクタンクＩＴに接続される。
【００２０】
また、本例の記録装置には、キャリッジ１２の移動位置などを検出するためのリニアエンコーダ１６が備えられている。すなわち、キャリッジ１２の移動方向に沿ってリニアスケール１５が延在し、このリニアスケール１５には等間隔で複数のスリット（例えば、１インチ毎に１２００のスリット）が形成されている。一方、キャリッジ１２には、例えば、発光部及び受光センサを有するスリット検出系１７と、その検出系１７の検出信号を処理する信号処理回路が設けられている。これらのリニアスケール１５、検出系１７、および信号処理回路によってリニアエンコーダ１６が構成されている。エンコーダー１６からは、キャリッジ１２の移動に従って、インク吐出タイミングを示す吐出タイミング信号及びキャリッジの位置情報が出力される。スリットが検出される毎にインクを吐出すれば、主走査方向に１２００ｄｐｉの解像度の記録を実行することが可能となる。
【００２１】
記録媒体としての記録紙Ｐは、キャリッジ１２の走査方向と交差（本例の場合は直交）する矢印Ｂの副走査方向に間欠的に搬送される。記録紙Ｐは、搬送方向上流側の一対のローラユニット２３、２４と、搬送方向下流側の一対のローラユニット２１、２２とにより支持され、一定の張力が掛けられて記録ヘッド１に対する平面性を確保したまま搬送される。各ローラユニットに対する駆動力は、本例の場合、図示しない記録媒体搬送モータから付与される。
【００２２】
このような構成によって、本例の記録装置は、キャリッジ１２と共に記録ヘッド１を主走査方向に移動させつつ吐出口からインクを吐出する記録動作と、記録紙Ｐの副走査方向の搬送動作と、を交互に繰り返すことによって、記録紙Ｐの全体に記録がなされる。
【００２３】
図２は、記録装置が画像情報を受け取ってから、記録を開始するまでの動作を説明するためのフローチャートである。
【００２４】
まず、記録装置に備わるＣＰＵによって、パーソナルコンピュータなどのホスト装置から受け取った受信画像情報（加熱情報、記録情報）の解析処理を行う（ステップＳ１）。その加熱情報に応じて加熱手段１１の温調（温度調節）を開始し（ステップＳ２）、そして加熱手段１１の温度が適温に調整されたか否かを判断する（ステップＳ３）。その加熱手段１１の温調が終了するまで温調（ステップＳ２）を繰り返し、その温調が終了したときは、温調終了フラグを立てて次のステップＳ４へ進む。一方、記録情報に応じて、記録ヘッド１の１回の走査に対応する１行分の記録データを作成して記録の準備をし（ステップＳ５）、その準備が終了したときに記録準備終了フラグを立てて次のステップＳ４へ進む。ステップＳ４では、温調終了フラグと記録準備終了フラグの双方が立ったか否かを判定し、双方のフラグが立つまで先のステップＳ２またはＳ５に戻り、双方のフラグが立ったときに記録動作を開始する（ステップＳ６）。
【００２５】
以下、このような構成のインクジェット記録装置に適用可能な本発明の実施形態について説明する。
【００２６】
（第１の実施形態）
図３は、本発明の第１の実施形態における記録待ち画像情報リストの概念図であり、図４は、記録順序を決定する処理を説明するためのフローチャートである。本例では、図３に示すように、画像情報Ａの記録中に３つの画像情報Ｂ，Ｃ，Ｄを順次受け取ったときに、図４のフローチャートに基づいて、次に記録すべき画像情報を決定するものとする。画像情報Ｂ，Ｃ，Ｄは、画像情報Ａの記録中にその順序で受け取られる。
【００２７】
まず、図４中のステップＳ１１において、次に記録すべき画像情報とするか否かの評価対象として、画像情報Ａの記録中に１番初め（ｉ＝１）に受け付けた画像情報Ｂを選定する。そして、その画像情報Ｂにおける加熱情報と、現在記録中の画像情報Ａにおける加熱情報と、が同一であるか否かを比較する（ステップＳ１２）。ここで比較される加熱情報は、加熱手段１１を加熱してインクを加熱定着させるか否か、つまり「加熱有り」か「加熱無し」かの情報であり、加熱情報が「加熱有り」の画像情報は、加熱手段１１による記録紙Ｐの加熱を伴って記録され、加熱情報が「加熱無し」の画像情報は、加熱手段１１による記録紙Ｐの加熱を伴わずに記録されるものである。以下、加熱手段１１による記録紙Ｐの加熱を伴って記録される画像情報を「第１種の画像情報」、加熱手段１１による記録紙Ｐの加熱を伴わずに記録される画像情報を「第２種の画像情報」ともいう。本例の場合、画像情報Ａ，Ｃ，Ｄは、加熱情報が「加熱有り」である第１種の画像情報であり、画像情報Ｂは、加熱情報が「加熱無し」である第２種の画像情報である。
【００２８】
ステップＳ１１においては、「加熱有り」の画像情報Ａに対して画像情報Ｂが「加熱無し」であるため否定判定され、その画像情報Ｂは次に記録すべき画像情報としては決定されず、ステップＳ１３に進む。そのステップＳ１３においては、記録待ち画像情報リストに他の画像情報が有るか無しかを判定する。本例の場合はステップＳ１３の判定結果が「有り」であるため、次の２番目（ｉ＝２）の画像情報Ｃが評価対象として選定される（ステップＳ１１）。
【００２９】
画像情報Ｃは画像情報Ａと同じ「加熱有り」であるため、ステップＳ１１において肯定判定され、その画像情報Ｃを次に記録すべき画像情報として待機させる（ステップＳ１４）。このように、次に記録すべき画像情報として画像情報Ｃを待機させることによって、図４の処理を終了する。つまり、次の記録すべき画像情報として、現在記録中の画像情報Ａと同じ第１種の画像情報Ｃが優先的に選定される。その画像情報Ｃは、画像情報Ａの記録終了後に記録される。そのときは、画像情報Ｃが図３の記録中の画像情報となり、画像情報Ｂ，Ｄが図３の記録待ち画像情報リストに残る。
【００３０】
その後、その画像情報Ｃの記録中には、図４の処理によって次に記録すべき画像情報を決定する。本例の場合は、次に記録すべき画像情報として、画像情報Ｃと同じ「加熱有り」の画像情報Ｄが決定され、その画像情報Ｄを次に記録すべき画像情報として待機させることによって、図４の処理を終了する。つまり、次の記録すべき画像情報として、現在記録中の画像情報Ｃと同じ第１種の画像情報Ｄが優先的に選定される。その画像情報Ｄは、画像情報Ｃの記録終了後に記録される。そのときは、画像情報Ｄが図３の記録中の画像情報となり、画像情報Ｂが図３の記録待ち画像情報リストに残る。
【００３１】
その後、その画像情報Ｄの記録中は、図４の処理によって次に記録すべき画像情報を決定する。本例の場合は、ステップＳ１３の判定結果が「無し」であるため、次に記録すべき画像情報として画像情報Ｂが決定され（ステップＳ１５）、その画像情報Ｂを次に記録すべき画像情報として待機させることによって、図４の処理を終了する。つまり、次の記録すべき画像情報として、現在記録中の画像情報Ｄと同じ第１種の画像情報がないときは、第２種の画像情報Ｂが選定される。その画像情報Ｂは、画像情報Ｄの記録終了後に記録される。
【００３２】
このように、現在記録中の画像情報と同一の加熱情報（「加熱有り」，「加熱無し」）をもつ画像情報（同種の画像情報）が記録待ち画像情報リストに存在するときは、それを次に記録すべき画像情報として待機させる。現在記録中の画像情報と同種の画像情報が複数存在するときには、それらの画像情報を入力順にしてがって、次に記録すべき画像情報として待機させる。また、記録待ち画像情報リストに存在する画像情報として、現在記録中の画像情報と同一の加熱情報（「加熱有り」，「加熱無し」）をもつ画像情報がないときは、その記録待ち画像情報リストに存在する画像情報の内、１番初めに受け付けた画像情報を次に記録すべき画像情報として待機させる。
【００３３】
また、ユーザーは、画像情報を加熱手段１１による加熱を伴って記録するか、または加熱手段１１による加熱を伴わずに記録するかを選択することができる。その場合には、画像情報を加熱手段１１による加熱を伴って記録するか否かの双方において、画像情報の記録までに掛かる時間を表示することにより、ユーザーが加熱手段１１による加熱を伴って記録するか否かの選択の指標とすることもできる。それらの表示には、記録装置における表示部、またはパーソナルコンピュータ等の形態のホスト装置におけるディスプレイを用いることができる。さらに、図５に示すように、加熱情報とともに画像情報リストの内容をユーザーに示すことにより、ユーザーは、画像情報を加熱手段１１による加熱を伴って記録するか否かをより適確に選択することができる。
【００３４】
また、上述した制御は、記録装置に備えたＣＰＵによって実現する他、例えば、記録装置とは別体のパーソナルコンピューター等におけるＣＰＵによって実現するようにしてもよい。
【００３５】
（第２の実施形態）
図６は、本発明の第２の実施形態における記録待ち画像情報リストの概念図であり、図７は、記録順序を決定する処理を説明するためのフローチャートである。
【００３６】
本実施形態の場合は、画像情報を受け付けた時点にて、その画像情報を加熱情報に応じて別々の記録待ち画像情報リスト１，２に分類する。リスト１には、加熱手段１１を加熱してインクを加熱定着させる「加熱有り」の加熱情報をもつ画像情報（第１種の画像情報）が分類され、リスト２には、加熱手段１１を加熱しない「加熱無し」の加熱情報をもつ画像情報（第２種の画像情報）が分類される。本例の場合、画像情報Ａの記録中に受け付けた画像情報Ｂ，Ｃ，Ｄの内、画像情報Ｂがリスト１に分類され、画像情報Ｃ，Ｄがリスト２に分類される。
【００３７】
そして、現在記録中の画像情報の次に記録すべき画像情報を図７の処理によって決定する。すなわち、現在記録中の画像情報に関する加熱情報を判定し（ステップＳ２１）、それが「加熱有り」のときは、次に記録すべき画像情報として、リスト２の画像情報を受け付け順にしたがって決定して、それらを順次記録する（ステップＳ２２）。また、現在記録中の画像情報に関する加熱情報が「加熱無し」のときは、次に記録すべき画像情報として、リスト１の画像情報を受け付け順にしたがって決定して、それらを順次記録する（ステップＳ２３）。また、現在記録中の画像情報と同一の加熱情報（「加熱有り」，「加熱無し」）をもつ画像情報がリスト１または２に存在しない場合には、次に記録すべき画像情報として、現在記録中の画像情報と異なる加熱情報（「加熱有り」，「加熱無し」）をもつ画像情報をその受け付け順に決定して順次記録する。
【００３８】
（第３の実施形態）
図８は、本発明の第３の実施形態における記録待ち画像情報リストの概念図であり、図９は、記録順序を決定する処理を説明するためのフローチャートである。本実施形態では、前述した第１の実施形態における画像情報に、オンデマンド記録要求の有無の情報が加わっている。
【００３９】
本例では、図８に示すように、画像情報Ａの記録中に３つの画像情報Ｂ，Ｃ，Ｄを順次受け取ったときに、図９のフローチャートに基づいて、次に記録すべき画像情報を決定するものとする。画像情報Ｂ，Ｃ，Ｄは、第１の実施形態の場合と同様に、画像情報Ａの記録中にその順序で受け取られる。また、画像情報Ｂ，Ｃ，Ｄには、オンデマンド記録要求の有無の情報が加わっている。
【００４０】
図９において、前述した第１の実施形態の図４と同様の処理には、同一符号を付して説明を省略する。
【００４１】
本実施形態においては、次に記録すべきか否かの評価対象の画像情報について、その加熱情報（「加熱有り」，「加熱無し」）が現在記録中の画像情報における加熱情報と一致するか否かの判定に先立ち、その評価対象の画像情報におけるオンデマンド記録要求の有無を判定する（ステップＳ１１Ａ）。その評価対象の画像情報にオンデマンド記録要求が「有り」の場合には、その画像情報を次に記録すべき画像情報として待機させて（ステップＳ１１Ｂ）、図９の処理を終了する。その待機された画像情報は、現在記録中の画像情報の記録終了後に記録される。一方、ステップＳ１１Ａの判定において、評価対象の画像情報にオンデマンド記録要求が「無し」の場合にはステップＳ１２に進み、以降は、第１の実施形態同様の処理を実行する。
【００４２】
本例においては、図８のように、画像情報Ｂ，Ｄにオンデマンド記録要求が有り、画像情報Ｃにオンデマンド記録要求が無いため、画像情報Ａの記録終了後に記録すべき画像情報として、１番目に受け付けた画像情報Ｂが待機されて、その画像情報Ｂが画像情報Ａの次に記録されることになる。
【００４３】
（他の実施形態）
上述した実施形態において、次に記録すべき画像情報を選定するための動作モード（第１の動作モード）は、現在記録中の画像情報と同種（第１種または第２種）の画像情報を優先的に選定する。次に記録すべき画像情報を選定するための動作モードは、このような第１の動作モードと、次のような第２の動作モードとを切換え可能としてもよい。その第２の動作モードは、画像情報の種類（第１種または第２種）の如何に拘わらず、複数の画像情報を入力順にしたがって、次に記録すべき画像として選定する動作モードである。このように動作モードの切換えを可能とすることにより、ユーザーの望みに応じた記録形態を実現することができる。
【００４４】
また本発明は、上述した実施形態のようなシリアルスキャンタイプのインクジェット記録装置の他、記録媒体の記録幅の全域に渡って延在する記録ヘッドを用いたフルラインタイプのインクジェット記録装置にも適用することができる。
【００４５】
以下に、本発明の実施態様を列挙する。
【００４６】
［実施態様１］　記録媒体を加熱するための加熱手段を備え、入力した画像情報に基づき、インクを吐出可能な記録ヘッドを用いて前記記録媒体に画像を記録するインクジェット記録装置において、
前記画像情報は、前記加熱手段の加熱を伴って記録される第１種の画像情報と、前記加熱手段の加熱を伴わずに記録される第２種の画像情報とを含み、
現在記録中の画像情報の入力後に前記第１種の画像情報と前記第２種の画像情報を入力したときに、現在記録中の画像情報の次に記録すべき画像情報として、現在記録中の画像情報と同種の画像情報を優先的に選定する選定手段を備えた
ことを特徴とするインクジェット記録装置。
【００４７】
［実施態様２］　前記選定手段は、現在記録中の画像情報が前記第１種の画像情報であるときは、次に記録すべき画像情報として前記第１種の画像情報を優先的に選定する
ことを特徴とする実施態様１に記載のインクジェット記録装置。
【００４８】
［実施態様３］　前記選定手段は、現在記録中の画像情報が前記第２種の画像情報であるときは、次に記録すべき画像情報として前記第２種の画像情報を優先的に選定する
ことを特徴とする実施態様１に記載のインクジェット記録装置。
【００４９】
［実施態様４］　現在記録中の画像情報の入力後に入力した画像情報を格納する記録待ち画像情報リストを有し、
前記選定手段は、現在記録中の画像情報の次に記録すべき画像情報を前記記録待ち画像情報リストの中から選定する
ことを特徴とする実施態様１から３のいずれかに記載のインクジェット記録装置。
【００５０】
［実施態様５］　前記記録待ち画像情報リストは、前記第１種の画像情報と前記第２種の画像情報とを分けて格納することを特徴とする実施態様４に記載のインクジェット記録装置。
【００５１】
［実施態様６］　前記選定手段は、現在記録中の画像情報と同種の画像情報が複数入力されたときに、それら複数の同種の画像情報をそれらの入力順に次に記録すべき画像情報として選定する
ことを特徴とする実施態様１から５のいずれかに記載のインクジェット記録装置。
【００５２】
［実施態様７］　入力した前記画像情報を前記第１種または前記第２種の種別情報と共に表示する手段を備えたことを特徴とする実施態様１から６のいずれかに記載のインクジェット記録装置。
【００５３】
［実施態様８］　前記選定手段は、第１の動作モードと第２の動作モードの切換えが可能であり、
前記第１の動作モードは、現在記録中の画像情報の入力後に前記第１種の画像情報と前記第２種の画像情報を入力したときに、現在記録中の画像情報の次に記録すべき画像情報として、現在記録中の画像情報と同種の画像情報を優先的に選定するモードであり、
前記第２の動作モードは、現在記録中の画像情報の入力後に複数の画像情報を入力したときに、それら複数の画像情報をそれらの入力順に、現在記録中の画像情報の次に記録すべき画像情報として選定するモードである
ことを特徴とする実施態様１から７のいずれかに記載のインクジェット記録装置。
【００５４】
［実施態様９］　前記記録ヘッドは、インク吐出用の熱エネルギーを発生する電気熱変換体を有することを特徴とする実施態様１から８のいずれかに記載のインクジェット記録装置。
【００５５】
［実施態様１０］　記録媒体を加熱するための加熱手段を備え、入力した画像情報に基づき、インクを吐出可能な記録ヘッドを用いて前記記録媒体に画像を記録するインクジェット記録方法において、
前記画像情報は、前記加熱手段の加熱を伴って記録される第１種の画像情報と、前記加熱手段の加熱を伴わずに記録される第２種の画像情報とを含み、
現在記録中の画像情報の入力後に前記第１種の画像情報と前記第２種の画像情報を入力したときに、現在記録中の画像情報の次に記録すべき画像情報として、現在記録中の画像情報と同種の画像情報を優先的に選定する
ことを特徴とするインクジェット記録方法。
【００５６】
［実施態様１１］　現在記録中の画像情報が前記第１種の画像情報であるときは、次に記録すべき画像情報として前記第１種の画像情報を優先的に選定する
ことを特徴とする実施態様１０に記載のインクジェット記録方法。
【００５７】
［実施態様１２］　現在記録中の画像情報が前記第２種の画像情報であるときは、次に記録すべき画像情報として前記第２種の画像情報を優先的に選定する
ことを特徴とする実施態様１０に記載のインクジェット記録方法。
【００５８】
［実施態様１３］　現在記録中の画像情報の入力後に入力した画像情報を格納する記録待ち画像情報リストを用い、
現在記録中の画像情報の次に記録すべき画像情報を前記記録待ち画像情報リストの中から選定する
ことを特徴とする実施態様１０から１２のいずれかに記載のインクジェット記録方法。
【００５９】
［実施態様１４］　前記記録待ち画像情報リストは、前記第１種の画像情報と前記第２種の画像情報とを分けて格納することを特徴とする実施態様１３に記載のインクジェット記録方法。
【００６０】
［実施態様１５］　現在記録中の画像情報と同種の画像情報が複数入力されたときに、それら複数の同種の画像情報をそれらの入力順に次に記録すべき画像情報として選定する
ことを特徴とする実施態様１０から１４のいずれかに記載のインクジェット記録方法。
【００６１】
［実施態様１６］　入力した前記画像情報を前記第１種または前記第２種の種別情報と共に表示することを特徴とする実施態様１０から１５のいずれかに記載のインクジェット記録方法。
【００６２】
［実施態様１７］　現在記録中の画像情報の次に記録すべき画像情報を選定するためのモードとして、第１の動作モードと第２の動作モードの切換えが可能であり、
前記第１の動作モードは、現在記録中の画像情報の入力後に前記第１種の画像情報と前記第２種の画像情報を入力したときに、現在記録中の画像情報の次に記録すべき画像情報として、現在記録中の画像情報と同種の画像情報を優先的に選定するモードであり、
前記第２の動作モードは、現在記録中の画像情報の入力後に複数の画像情報を入力したときに、それら複数の画像情報をそれらの入力順に、現在記録中の画像情報の次に記録すべき画像情報として選定するモードである
ことを特徴とする実施態様１０から１６のいずれかに記載のインクジェット記録方法。
【００６３】
［実施態様１８］　前記記録ヘッドは、インク吐出用の熱エネルギーを発生する電気熱変換体を有することを特徴とする実施態様１０から１７のいずれかに記載のインクジェット記録方法。
【００６４】
【発明の効果】
以上説明したように、本発明は、現在記録中の画像情報の次に記録すべき画像情報として、記録媒体の加熱を伴うか否かにおいて現在記録中の画像情報と同種の画像情報を優先的に選定することにより、記録媒体の加熱を伴う記録と、記録媒体の加熱を伴わない記録とを効率よく行って、記録装置の待機時間および消費エネルギーの無駄を低減することができる。
【図面の簡単な説明】
【図１】本発明を適用可能なインクジェット記録装置の基本構成を説明するための概略斜視図である。
【図２】図１のインクジェット記録装置が画像情報を受け取ってから、記録を開始するまでの動作を説明するためのフローチャートである。
【図３】本発明の第１の実施形態における記録待ち画像情報リストの概念図である。
【図４】本発明の第１の実施形態における記録順序の決定処理を説明するためのフローチャートである。
【図５】本発明の第１の実施形態における画像情報の表示例の説明図である。
【図６】本発明の第２の実施形態における記録待ち画像情報リストの概念図である。
【図７】本発明の第２の実施形態における記録順序の決定処理を説明するためのフローチャートである。
【図８】本発明の第３の実施形態における記録待ち画像情報リストの概念図である。
【図９】本発明の第３の実施形態における記録順序の決定処理を説明するためのフローチャートである。
【符号の説明】
１０　記録ヘッド
１１　加熱手段
１２　キャリッジ
１３　無端ベルト
１４，２０　プーリ
１５　リニアスケール
１６　リニアエンコーダ
１７　リニアスケール検出系
１８　ガイドシャフト
１９　キャリッジ駆動モータ
２１〜２４　搬送ローラー
Ａ　主走査方向
Ｂ　副走査方向
Ｐ　記録媒体
【図１】
2004142306.tif 000003
【図２】
2004142306.tif 000004
【図３】
2004142306.tif 000005
【図４】
2004142306.tif 000006
【図５】
2004142306.tif 000007
【図６】
2004142306.tif 000008
【図７】
2004142306.tif 000009
【図８】
2004142306.tif 000010
【図９】
2004142306.tif 000011